(57)【要約】【課題】簡単な構成で端子接続部を開いた状態に維持可能な電気ユニットを提供する。【解決手段】カバー１は、端子接続部３〜５を開閉可能なように本体２の両側部２ｃ、２ｃに回転可能に支持されている。カバー１は、そのカバー１の回転中心Ｃの一方側に位置する第１の部分１Ｆと、回転中心Ｃの他方側に位置する第２の部分１Ｓとを有している。第１の部分１Ｆはカバー１が閉じた状態において端子接続部３〜５上を覆っている。カバー１は、カバー１の回転の際に本体２の壁部２ｄに接触してカバー１を弾性変形させる突起部１ａを第２の部分１Ｓに有している。【選択図】図１
2018081851.tif 000002
【特許請求の範囲】
【請求項１】
互いに対向する第１の側部および第２の側部と、前記第１の側部から前記第２の側部に向かって延在する第１の壁部とを有する本体と、
前記本体に取り付けられた端子接続部と、
前記端子接続部を開閉可能なように前記第１の側部と前記第２の側部とに回転可能に支持されたカバーとを備え、
前記カバーは、前記カバーの回転中心の一方側に位置する第１の部分と、前記回転中心の他方側に位置する第２の部分とを有し、
前記第１の部分は前記カバーが閉じた状態において前記端子接続部上を覆い、
前記第２の部分は、前記カバーの回転の際に前記第１の壁部に接触して前記カバーを弾性変形させる突起部を有する、電気ユニット。
【請求項２】
前記突起部は、前記第１の側部から前記第２の側部へ向かう方向に沿って互いに間隔をあけて配置された複数の突起を有する、請求項１に記載の電気ユニット。
【請求項３】
前記突起は、前記第１の側部から前記第２の側部へ向かう方向における前記カバーの中央位置よりも前記第１の側部または前記第２の側部のいずれかの近くに偏って配置されている、請求項２に記載の電気ユニット。
【請求項４】
前記カバーは、前記カバーの前記他方側の端部に開口した切欠部を有する、請求項２または請求項３に記載の電気ユニット。
【請求項５】
前記複数の突起は、最も前記第１の側部の近くに位置する第１の突起と、最も前記第２の側部の近くに位置する第２の突起とを含み、
前記切欠部は、前記第１の突起と前記第１の側部との間の領域および前記第２の突起と前記第２の側部との間の領域の少なくとも一つの領域に配置されている、請求項４に記載の電気ユニット。
【請求項６】
前記突起部が前記第１の壁部に接触していない状態において、前記カバーの前記回転中心から前記突起の先端までの距離は、前記カバーの前記回転中心から前記第１の壁部までの距離よりも大きい、請求項１〜請求項５のいずれか１項に記載の電気ユニット。
【請求項７】
前記第１の側部から前記第２の側部へ向かう方向に直交する面で前記カバーを切断した縦断面形状において、前記カバーの前記他方側の端部は、前記突起部が形成されていない部分においては半円形状を有する、請求項１〜請求項６のいずれか１項に記載の電気ユニット。
【請求項８】
前記カバーは、前記カバーが前記端子接続部を開いた状態において、前記第１の壁部と対向する第１の表面と、前記第１の表面に対して前記第１の壁部の反対側に位置する第２の表面とを有し、
前記突起部は、前記第１の表面との間で第１の角部を構成する底面を有する、請求項１〜請求項７のいずれか１項に記載の電気ユニット。
【請求項９】
前記本体は、前記第１の壁部に交差する第２の壁部を有し、
前記突起部の前記底面は、前記第２の表面との間で第２の角部を構成し、
前記第２の角部は、前記カバーの回転の際に前記第２の壁部に接触する、請求項８に記載の電気ユニット。
【発明の詳細な説明】
【技術分野】
【０００１】
本発明は、電気ユニットに関し、特に、開閉可能なカバーを有する電気ユニットに関するものである。
【背景技術】
【０００２】
風呂釜付き給湯装置などの電気機器においては、一般に、漏電ブレーカなどの漏電安全装置が装備される。従来、漏電安全装置は、入出力線が接続される端子台と、その端子台を開閉可能に覆うカバーとを有している。このような漏電安全装置のカバーは、たとえば実公平５−３７３９３号公報（特許文献１）に開示されている。
【０００３】
実公平５−３７３９３号公報においては、漏電ブレーカのリード線挿入孔を正面側から保護カバーが覆っている。保護カバーはケース本体の側面の係止爪に係合する係止孔を有している。
【０００４】
また電気機器の電気接続部を開閉可能なカバーで覆う技術は、たとえば特開２００７−２００６０４号公報（特許文献２）、特許第５４５９４７８号公報（特許文献３）などに開示されている。
【０００５】
特開２００７−２００６０４号公報においては、ジャックカバー（端子カバー）が、電子機器本体に対して接続部の軸を中心に回動自在に配置されている。
【０００６】
また特許第５４５９４７８号公報においては、開いた位置で蓋体を本体部に保持するために、凸部と、その凸部が進入する進入部とが設けられている。
【先行技術文献】
【特許文献】
【０００７】
【特許文献１】実公平５−３７３９３号公報
【特許文献２】特開２００７−２００６０４号公報
【特許文献３】特許第５４５９４７８号公報
【発明の概要】
【発明が解決しようとする課題】
【０００８】
しかしながら、実公平５−３７３９３号公報および特開２００７−２００６０４号公報においては、カバーが開いた状態を維持するためのロック機構が設けられていない。このため、入出力線を端子台または端子接続部に接続する際にカバーが邪魔になる。
【０００９】
また特許第５４５９４７８号公報においては、開いた位置で蓋体を本体部に保持するために、凸部と、その凸部が進入する進入部とが必要である。このため構造が複雑である。
【００１０】
本発明は、上記の課題に鑑みてなされたものであり、その目的は、簡単な構成で端子接続部を開いた状態に維持可能な電気ユニットを提供することである。
【課題を解決するための手段】
【００１１】
本発明の電気ユニットは、本体と、端子接続部と、カバーとを備えている。本体は、互いに対向する第１の側部および第２の側部と、その第１の側部から第２の側部に向かって延在する第１の壁部とを有している。端子接続部は、本体に取り付けられている。カバーは、端子接続部を開閉可能なように第１の側部と第２の側部とに回転可能に支持されている。カバーは、そのカバーの回転中心の一方側に位置する第１の部分と、回転中心の他方側に位置する第２の部分とを有している。第１の部分はカバーが閉じた状態において端子接続部上を覆っている。第２の部分は、カバーの回転の際に第１の壁部に接触してカバーを弾性変形させる突起部を有している。
【００１２】
本発明の電気ユニットによれば、カバーの第２の部分は、カバーの回転の際に第１の壁部に接触してカバーを弾性変形させる突起部を有している。このため、カバーが開いた状態から閉じた状態に移行する際に突起部が本体の第１の壁部に接触する。そして、カバーを弾性変形させるための外力がカバーに作用しなければ、カバーは開いた状態から閉じた状態に移行することはない。よってカバーは端子接続部を開いた状態に維持される。
【００１３】
また突起部は、カバーが閉じた状態において端子接続部上を覆う第１の部分とは反対側の第２の部分に設けられている。このため、カバーを回転させるだけで突起部を第１の壁部に接触させて、上記のとおりカバーを開いた状態に維持することができる。このように突起部を第１の壁部に接触させるという簡易な構成で端子接続部を開いた状態に維持することができる。
【００１４】
上記の電気ユニットにおいて、突起部は、第１の側部から第２の側部へ向かう方向に沿って互いに間隔をあけて配置された複数の突起を有している。
【００１５】
複数の突起を設けたことにより、カバーの開閉時における弾性変形を適切に制御することができる。
【００１６】
上記の電気ユニットにおいて、突起は、第１の側部から第２の側部へ向かう方向におけるカバーの中央位置よりも第１の側部または第２の側部のいずれかの近くに偏って配置されている。
【００１７】
これにより突起がカバーの中心位置に配置されている場合よりも、突起が中央位置から偏って配置された場合の方が、突起の大きさが同じであれば、開閉の際のカバーの弾性変形量が大きくなる。このため、突起が中央位置から偏って配置された場合の方が、カバーを開いた状態に維持する力が大きくなる。
【００１８】
上記の電気ユニットにおいて、カバーは、カバーの他方側の端部に開口した切欠部を有している。
【００１９】
この切欠部によりカバーが弾性変形しやすくなる。このため切欠部を適切に配置することにより、カバーの開閉の際にカバーの弾性変形に必要な外力の大きさを適切に調整することができる。
【００２０】
上記の電気ユニットにおいて、複数の突起は、最も第１の側部の近くに位置する第１の突起と、最も第２の側部の近くに位置する第２の突起とを含んでいる。切欠部は、第１の突起と第１の側部との間の領域および第２の突起と第２の側部との間の領域の少なくとも一つの領域に配置されている。
【００２１】
これにより上記と同様、カバーの開閉の際にカバーの弾性変形に必要な外力の大きさを適切に調整することができる。
【００２２】
上記の電気ユニットにおいて、突起部が第１の壁部に接触していない状態において、カバーの回転中心から突起の先端までの距離は、カバーの回転中心から第１の壁部までの距離よりも大きい。
【００２３】
これによりカバーを開閉のために回転させると、突起部が第１の壁部に接触する。
上記の電気ユニットにおいて、第１の側部から第２の側部へ向かう方向に直交する面でカバーを切断した縦断面形状において、カバーの他方側の端部は、突起部が形成されていない部分においては半円形状を有している。
【００２４】
突起部が形成されていないカバーの他方側の端部を半円形状とすることにより、カバーを開閉の際に第１の壁部に半円形状部が接触しないように設計することが容易となる。
【００２５】
上記の電気ユニットにおいて、カバーは、カバーが端子接続部を開いた状態において、第１の壁部と対向する第１の表面と、第１の表面に対して第１の壁部の反対側に位置する第２の表面とを有している。突起部は、第１の表面との間で第１の角部を構成する底面を有している。
【００２６】
この第１の角部を第１の壁部に接触させることができる。
上記の電気ユニットにおいて、本体は、第１の壁部に交差する第２の壁部を有している。突起部の底面は、第２の表面との間で第２の角部を構成している。第２の角部は、カバーの回転の際に第２の壁部に接触する。
【００２７】
これにより第１の角部と第２の角部との双方によりカバーが開いた状態を維持することができる。このため、カバーを開いた状態に維持する力が大きくなる。
【発明の効果】
【００２８】
以上より本発明によれば、簡単な構成で端子接続部を開いた状態に維持可能な電気ユニットを実現することができる。
【図面の簡単な説明】
【００２９】
【図１】本発明の一実施の形態における電気ユニットの例として漏電安全装置の構成を示す図であって、カバーが開いた状態を示す斜視図である。
【図２】図１に示す漏電安全装置においてカバーが閉じた状態を示す斜視図である。
【図３】図１に示す漏電安全装置においてカバーを取り外した状態を示す分解部分斜視図である。
【図４】図１に示す漏電安全装置に用いられるカバーの構成を示す斜視図である。
【図５】図４に示すカバーの突起部付近を拡大して示す部分拡大斜視図である。
【図６】カバーに設けられる突起部の形状を説明するための図である。
【図７】図１に示す漏電安全装置におけるカバーの開閉動作を示す模式図である。
【図８】図７の開閉動作時に突起部が壁部に接触した状態を示す拡大図である。
【図９】図７の開閉動作時に突起部が壁部に接触してカバーが弾性変形した状態を示す拡大図である。
【図１０】図７の開閉動作時に突起部が壁部に接触してカバーが弾性変形した状態を示す図である。
【図１１】比較例のカバーの構成を示す斜視図である。
【発明を実施するための形態】
【００３０】
以下、本発明の実施の形態について図に基づいて説明する。
図１および図２に示されるように、本発明の一実施の形態における電気ユニットの例として漏電安全装置１０が示されている。この漏電安全装置１０は、カバー１と、本体２と、端子接続部３〜５とを主に有している。
【００３１】
本体２は、複数（たとえば４個）の端子接続用の凹部２ａを有している。複数の凹部２ａの各々は、本体２の端部に直線状に並んで配置されている。凹部２ａ同士の間には、押さえ部２ａａまたは２ａｂが位置している。押さえ部２ａａ、２ａｂの各々は、凹部２ａからみると凸状の頂面となっている。
【００３２】
端子接続部３〜５は、複数の凹部２ａの各々の底部に配置されている。端子接続部３〜５は、たとえば座金３、ネジ端子４と、ネジ５とを有している。ネジ端子４は、本体２内の電気回路に電気的に接続されるように本体２に取り付けられている。座金３およびネジ端子４の各々には、図示しない貫通孔が形成されている。
【００３３】
ネジ５は、座金３およびネジ端子４の各々の貫通孔を挿通して本体２にねじ込まれている。これにより、座金３、ネジ端子４およびネジ５よりなる端子接続部３〜５は、本体２に取り付けられている。
【００３４】
この端子接続部３〜５は、入出力線（図示せず）を本体２内の電気回路に電気的に接続するための部分である。具体的には、入出力線の心線が座金３とネジ端子４との間に挟まれた状態でネジ５が本体２にねじ込まれる。これにより入出力線の心線は座金３とネジ端子４との間に固定され、かつネジ端子４を介在して本体２内の電気回路と電気的に接続される。
【００３５】
カバー１は、端子接続部３〜５の上方を開閉可能なように本体２に取り付けられている。カバー１は、本体２に対して回転可能である。具体的には、カバー１は、本体２に対して回転することにより、端子接続部３〜５が配置される凹部２ａの上方開口部を開閉可能なように本体２に取り付けられている。
【００３６】
このため、カバー１が開いた状態においては、図１に示されるように端子接続部３〜５が配置された凹部２ａの上方開口部が解放されている。
【００３７】
またカバー１が閉じた状態においては、図２に示されるように端子接続部３〜５が配置された凹部２ａの上方開口部が閉塞されている。この閉じた状態においては、カバー１は凹部２ａ同士の間に位置する押さえ部２ａａ、２ａｂの各々に当接している。
【００３８】
図３に示されるように、本体２は、両側の側部（第１の側部および第２の側部）２ｃ、２ｃを有している。両側の側部２ｃ、２ｃの各々には、軸挿入用の穴２ｂが設けられている。
【００３９】
カバー１は、長手方向の両端部の各々に軸部１ｄを有している。この１対の軸部１ｄ、１ｄは、カバー１の長手方向に沿って延びている。１対の軸部１ｄ、１ｄのそれぞれは、本体２の両側の側部２ｃ、２ｃに挿入されている。これにより、カバー１は、両側の側部２ｃ、２ｃに支持されている。カバー１は、１対の軸部１ｄを中心として本体２に対して回転可能である。
【００４０】
図４に示されるように、カバー１は、たとえば平板よりなっている。カバー１の材質は、たとえば樹脂または金属である。カバー１の材質として金属を用いる場合には、金属の表面を電気的に絶縁することが好ましい。このカバー１は、複数の突起１ａよりなる突起部と、１対の軸部１ｄと、１対の切欠部１ｅと、１対の凹部１ｇと、爪係合部１ｈと、孔部１ｉとを有している。
【００４１】
１対の軸部１ｄの各々は、上記のとおりカバー１の長手方向の両端部の各々に設けられている。この１対の軸部１ｄは同軸上に配置されている。１対の軸部１ｄが配置される軸線がカバー１の回転中心（１点鎖線Ｃ）となる。
【００４２】
カバー１は、第１の部分１Ｆと、第２の部分１Ｓとを有している。第１の部分１Ｆは、カバー１の回転中心Ｃの一方側に位置する部分である。この第１の部分１Ｆは、図２に示されるように、カバー１が閉じた状態において端子接続部３〜５上（凹部２ａの上方開口部上）を覆う部分である。
【００４３】
第２の部分１Ｓは、カバー１の回転中心Ｃの他方側に位置する部分である。第２の部分１Ｓは、カバー１が閉じた状態において端子接続部３〜５上（凹部２ａの上方開口部上）を覆わない部分である。ただし第２の部分１Ｓは、端子接続部３〜５上を覆う部分であってもよい。
【００４４】
１対の切欠部１ｅの各々は、カバー１の他方側の端部１Ｓａに開口している。１対の切欠部１ｅの各々は、カバー１の他方側の端部１Ｓａから回転中心Ｃを超えて一方側の端部１Ｆａ側に直線状に延びている。１対の切欠部１ｅの各々は、第２の部分１Ｓから第１の部分１Ｆにまで延びている。
【００４５】
１対の凹部１ｇの各々は、第１の部分１Ｆの長手方向の両端部の各々に設けられている。この１対の凹部１ｇの各々により、第１の部分１Ｆの長手方向の端部は、軸部１ｄの根元から窪んでいる。１対の凹部１ｇの各々は、カバー１が開閉する際にカバー１の軸部１ｄ付近が本体２と干渉することを避けるために設けられている。
【００４６】
爪係合部１ｈは、カバー１の一方側の端部１Ｆａに設けられている。爪係合部１ｈは、図２に示されるように本体２の爪部２ｆと係合する部分である。この爪係合部１ｈにより、カバー１の一方側の端部１Ｆａは窪んでいる。
【００４７】
孔部１ｉは、カバー１の第１の部分１Ｆを貫通している。この孔部１ｉは、爪係合部１ｈに対して端部１Ｓａ側に位置している。孔部１ｉは、爪係合部１ｈが爪部２ｆと係合する際に撓みやすくするために設けられている。
【００４８】
複数の突起１ａを有する突起部は、カバー１の第２の部分１Ｓに設けられている。この突起部は、カバー１の回転の際に本体２の壁部２ｄ（第１の壁部）に接触してカバー１を弾性変形させるものである。複数の突起１ａは、本体２の両側部２ｃ、２ｃの一方（第１の側部）から他方（第２の側部）へ向かう方向に沿って互いに間隔をあけて配置されている。
【００４９】
複数の突起１ａは、たとえば３つの突起１ａを有している。この３つの突起１ａは、中央の突起１ａと、２つの端部の突起１ａとを有している。中央の突起１ａは、カバー１の長手方向の中央位置（２点鎖線Ｄ）に配置されている。２つの端部の突起１ａの各々は、カバー１の長手方向の中央位置Ｄよりも、本体２における両側の側部２ｃ、２ｃのいずれかに偏って配置されている。
【００５０】
具体的には、２つの端部の突起１ａの一方は、中央の突起１ａよりも本体２における両側の側部２ｃ、２ｃの一方の近くに配置されている。また２つの端部の突起１ａの他方は、中央の突起１ａよりも本体２における両側の側部２ｃ、２ｃの他方の近くに配置されている。
【００５１】
図５に示されるように、カバー１の他方側の端部１Ｓａは、突起１ａが設けられた部分と、突起１ａが設けられていない部分１ｂとを有している。突起が設けられていない部分１ｂは、回転中心Ｃに直交する面でカバー１を切断した縦断面形状において、たとえば半円形状を有している。
【００５２】
突起１ａは、上記縦断面において矩形状を有している。この突起１ａの矩形状は、たとえば突起１ａが設けられていない部分１ｂの半円形状を内接円とする形状である。
【００５３】
図６に示されるように、カバー１は、第１の表面１ｊと、第２の表面１ｋとを有している。第１の表面１ｊは、カバー１が開いた状態において本体２の壁部２ｄと対向する面である。また第２の表面１ｋは、第１の表面１ｊに対して本体２の壁部２ｄの反対側に位置する面である。
【００５４】
突起１ａは、第１の突起表面１ｊａと、第２の突起表面１ｋａと、第３の突起表面１ｍ（底面）とを有している。第１の突起表面１ｊａは、第１の表面１ｊと連続した平面よりなっている。第２の突起表面１ｋａは、第２の表面１ｋと連続した平面よりなっている。第３の突起表面１ｍは、カバー１が開いた状態において本体２の壁部２ｅと対向する面である。第３の突起表面１ｍは、第１の突起表面１ｊａおよび第２の突起表面１ｋａの各々と交差している。
【００５５】
なお上記において本体２の壁部２ｅ（第２の壁部）は、本体２の壁部２ｄとたとえば９０°の角度で交差する壁部である。上記壁部２ｄ、２ｅの各々は、本体２の両側部２ｃ、２ｃの一方から他方に向かって延在している。
【００５６】
第１の突起表面１ｊａと第３の突起表面１ｍとは互いに交差することにより第１の角部１ｎを構成している。また第２の突起表面１ｋａと第３の突起表面１ｍとは互いに交差することにより第２の角部１ｏを構成している。
【００５７】
第１の角部１ｎおよび第２の角部１ｏの各々は、たとえば９０°の角度を有している。第１の角部１ｎは、カバー１の開閉の際に本体２の壁部２ｄに接触する部分である。また第２の角部１ｏは、カバー１の開閉の際に本体２の壁部２ｅに接触する部分である。突起１ａは、第１の角部１ｎを有する第１の角突起部１ａａと、第２の角部１ｏを有する第２の角突起部１ａｂとを有している。
【００５８】
突起１ａが本体２の壁部２ｄ、２ｅに接触していない状態において、カバー１の回転中心Ｃから突起１ａの先端（第１の角部１ｎ）までの距離Ｒ１は、カバー１の回転中心Ｃから壁部２ｄまでの距離Ｌ１よりも大きい。
【００５９】
また突起１ａが本体２の壁部２ｄ、２ｅに接触していない状態において、カバー１の回転中心Ｃから突起１ａの他の先端（第２の角部１ｏ）までの距離Ｒ２は、カバー１の回転中心Ｃから壁部２ｅまでの距離Ｌ２よりも大きい。
【００６０】
図４に示されるように、１対の切欠部１ｅの一方は、複数の突起１ａのうち最も本体２の両側部２ｃ、２ｃの一方に近い位置にある一方端突起１ａ（第１の突起）と一方の側部２ｃとの間に配置されている。また１対の切欠部１ｅの他方は、複数の突起１ａのうち最も本体２の両側部２ｃ、２ｃの他方に近い位置にある他方端突起１ａ（第２の突起）と他方の側部２ｃとの間に配置されている。
【００６１】
次に、本実施の形態におけるカバーの開閉動作について図７〜図１０を用いて説明する。
【００６２】
図７に示されるように、カバー１は軸部１ｄを中心として本体２に対して回転することにより開閉動作を行なう。この際、図６で説明したように、カバー１の回転中心Ｃから突起１ａの先端までの距離Ｒ１は、カバー１の回転中心Ｃから壁部２ｄまでの距離Ｌ１よりも大きい。また突起１ａが本体２の壁部２ｄ、２ｅに接触していない状態において、カバー１の回転中心Ｃから突起１ａの他の先端までの距離Ｒ２は、カバー１の回転中心Ｃから壁部２ｅまでの距離Ｌ２よりも大きい。
【００６３】
このため、たとえば開いた状態から閉じた状態へカバー１が回転する際には、図８に示されるように、突起１ａの角部１ｎは本体２の壁部２ｄに接触する。また突起１ａの角部１ｏは本体２の壁部２ｅに接触する。
【００６４】
この状態からさらにカバー１が閉じた状態となるように回転すると、図９および図１０に示されるように、カバー１は弾性変形する。具体的には図１０に示されるように、最端部の突起１ａと軸部１ｄとの間の端部Ｒ１にてカバー１が弾性変形する。カバー１の端部Ｒ１（最端部の突起１ａと軸部１ｄとの間の領域）には切欠部１ｅが設けられている。この切欠部１ｅにより、カバー１の端部Ｒ１は弾性変形しやすくなっている。
【００６５】
上記の弾性変形により、図９および図１０に示されるように、カバー１の中央部Ｒ２における回転中心Ｃ１は、軸部１ｄの回転中心Ｃから偏心する。この状態からさらに閉じた状態へカバー１が回転することにより、突起１ａの角部１ｎと本体２の壁部２ｄとの接触状態は解除され、また突起１ａの角部１ｏと本体２の壁部２ｅとの接触状態も解除される。これにより、弾性変形していたカバー１は元の形状に復帰する。具体的には、カバー１の中央部Ｒ２における回転中心Ｃ１は、軸部１ｄの回転中心Ｃに対して偏心した状態から、同心の状態に移行する。この後、カバー１はスムーズに回転して、閉じた状態となる。
【００６６】
次に、本実施の形態の効果について、図１１に示す比較例の構成と対比して説明する。
図１１に示されるように、比較例のカバー１は突起部を有していない。このため、比較例のカバー１の他方側の端部１Ｓａは、その長手方向の全体において半円形状を有している。
【００６７】
なお、これ以外の比較例のカバー１の構成は、本実施の形態のカバー１の構成とほぼ同じであるため、同一の要素については同一の符号を付し、その説明を繰り返さない。
【００６８】
この比較例のカバー１が図１〜図３に示される本体２に回転可能に取り付けられた場合、比較例のカバー１は開閉動作時に本体２の壁部２ｄ、２ｅに接触しない。このため、比較例のカバー１を開いた状態で入出力線を端子接続部に接続する作業の際に、カバーが開いた状態から閉じた状態へ回転するおそれがあり邪魔になる。
【００６９】
具体的には、たとえば漏電安全装置１０が給湯装置の内部に取り付けられた状態において、図１の端子接続部３〜５が給湯装置のフロントカバーに対向し、漏電安全装置１０の下方側に位置する。そのため、比較例のようにカバー１が開いた状態を維持するためのロック機構が設けられていない場合には、入出力線を端子接続部３〜５に接続する際に、カバー１が下がってきて（閉じた状態へ移行しようとして）接続作業の邪魔になるおそれがあった。
【００７０】
これに対して本実施の形態のカバー１は、図８に示されるように開いた状態から閉じた状態に回転する際に、突起１ａ（第１の角部１ｎ）が壁部２ｄに接触する。そして、カバー１を弾性変形させるための外力がカバー１に作用しなければ、カバー１は開いた状態から閉じた状態へ移行することはない。よってカバー１は端子接続部３〜５を開いた状態に維持される。よって、カバー１が開いた状態で入出力線を端子接続部に接続する作業の際に、カバー１が邪魔になることはない。
【００７１】
また突起１ａは、カバー１が閉じた状態において端子接続部３〜５上を覆う第１の部分１Ｆとは反対側の第２の部分１Ｓに設けられている。このため、カバー１を回転させるだけで突起１ａ（第１の角部１ｎ）を本体２の壁部２ｄに接触させて、カバー１を開いた状態に維持することができる。このように突起１ａを壁部２ｄに接触させるという簡易な構成で端子接続部３〜５を開いた状態に維持することができる。
【００７２】
また図４に示されるように、１つのカバー１に複数の突起１ａを設けたことにより、カバー１の開閉時における弾性変形を適切に制御することが可能となる。
【００７３】
また突起１ａは、カバー１の中央位置Ｄよりもカバー１の長手方向の端部側に偏って配置されている。これにより突起１ａがカバー１の中央位置Ｄに配置されている場合よりも、突起１ａが中央位置Ｄから偏って配置された場合の方が、突起１ａの大きさが同じであれば、図１０に示されるように、開閉の際のカバー１の弾性変形量が大きくなる。このため、突起１ａが中央位置Ｄから偏って配置された場合の方が、カバー１を開いた状態に維持する力が大きくなる。
【００７４】
またカバー１は、カバー１の他方側の端部１Ｓａに開口した切欠部１ｅを有している。この切欠部１ｅによりカバー１が弾性変形しやすくなる。このため切欠部１ｅを適切に配置することにより、カバー１の開閉の際にカバー１の弾性変形に必要な外力の大きさを適切に調整することができる。
【００７５】
また図１０に示されるように、切欠部１ｅは、カバー１の端部Ｒ１（最端部の突起１ａと本体２の側部２ｃとの間の部分）に配置されている。これによりカバー１が弾性変形しやすくなる。このため、カバー１の開閉の際にカバー１の弾性変形に必要な外力の大きさを適切に調整することができる。
【００７６】
また図６に示されるように、突起１ａが本体２の壁部２ｄに接触していない状態において、カバー１の回転中心Ｃから突起１ａの先端（第１の角部１ｎ）までの距離Ｒは、カバー１の回転中心Ｃから壁部２ｄまでの距離Ｌよりも大きい。これによりカバー１を開閉のために回転させると、突起１ａが壁部２ｄに接触し、カバー１が弾性変形する。
【００７７】
また図６に示されるように、一方の側部２ｃから他方の側部２ｃへ向かう方向に直交する面でカバー１を切断した縦断面形状において、カバー１の他方側の端部は、突起１ａが形成されていない部分においては半円形状を有している。これにより、図７に示されるようにカバー１を開閉の際に、壁部２ｄに半円形状部１ｂが接触しないように設計することが容易となる。
【００７８】
また図６に示されるように、カバー１の突起１ａは、角部１ｎを有している。これにより図８、図９に示されるように、この角部１ｎを本体２の壁部２ｄに接触させることができる。
【００７９】
また図６に示されるように、カバー１の突起１ａは、角部１ｏも有している。図８、図９に示されるように、この角部１ｏも本体２の壁部２ｅに接触させることができる。これにより図８に示すように、角部１ｎと角部１ｏとの双方によりカバー１が開いた状態を維持することができる。このため、カバー１を開いた状態に維持する力が大きくなる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１  カバー、１Ｆ  第１の部分、１Ｆａ，１Ｓａ  端部、１Ｓ  第２の部分、１ａ  突起（突起部）、１ｂ  突起が設けられていない部分（半円形状部）、１ｄ  軸部、１ｅ  切欠部、１ｇ，２ａ  凹部、１ｈ  爪係合部、１ｉ  孔部、１ｊ  第１の表面、１ｊａ  第１の突起表面、１ｋ  第２の表面、１ｋａ  第２の突起表面、１ｍ  第３の突起表面、１ｎ，１ｏ  角部、２  本体、２ａａ，２ａｂ  押さえ部、２ｂ  穴、２ｃ  側部、２ｄ，２ｅ  壁部、２ｆ  爪部、３  座金、４  ネジ端子、５  ネジ、１０  漏電安全装置。
【図１】
2018081851.tif 000003
【図２】
2018081851.tif 000004
【図３】
2018081851.tif 000005
【図４】
2018081851.tif 000006
【図５】
2018081851.tif 000007
【図６】
2018081851.tif 000008
【図７】
2018081851.tif 000009
【図８】
2018081851.tif 000010
【図９】
2018081851.tif 000011
【図１０】
2018081851.tif 000012
【図１１】
2018081851.tif 000013